(57)【特許請求の範囲】
【請求項１】
前後方向に距離を隔てて配置される複数の画面表示部と、
複数の前記画面表示部のうち所定の画面を表示させる画面表示部を時間の経過により自動的に切り替える制御部と、
使用者からの入力を受け付ける入力部と、
を備え、
前記制御部は、前記入力部からの入力に対応した操作対象画面を表示している画面表示部を検知し、同じ画面表示部に所定時間継続して前記操作対象画面が表示された場合に、
前記操作対象画面を表示する画面表示部を他の画面表示部に切り替える、
眼精疲労軽減システム。
【請求項２】
前記制御部は、複数の前記画面表示部のそれぞれと使用者との距離に応じて、複数の前記画面表示部のそれぞれに表示される画面の大きさを調整する、
請求項１に記載の眼精疲労軽減システム。
【請求項３】
複数の前記画面表示部のうち一の画面表示部は、他の画面表示部と着脱可能な携帯端末に備えられている、
請求項１または２に記載の眼精疲労軽減システム。
【請求項４】
前後方向に距離を隔てて配置される複数の画面表示部のうち、使用者からの入力を受け付ける入力部からの入力に対応した操作対象画面を表示している画面表示部を検知し、同じ画面表示部に所定時間継続して前記操作対象画面が表示された場合に、前記操作対象画面を表示する画面表示部を他の画面表示部に切り替える機能をコンピュータにおいて実現させるための眼精疲労軽減プログラム。
【発明の詳細な説明】
【技術分野】
【０００１】
本発明は、眼精疲労軽減システムおよびプログラムに関する。
【背景技術】
【０００２】
近年、コンピュータの普及に伴いディスプレイ上の画面を長時間見つめることが増えており、これにより、目の疲労が問題となっている。例えば、目のピントを合わせるための筋肉が緊張して強張ることにより視界が霞む、いわゆる、ピントフリーズ現象が生じる場合がある。このような問題は、コンピュータのディスプレイに限らず、テレビやゲーム機などの画面表示装置についても同様である。
【０００３】
そこで、上記のような眼精疲労の問題を解決するための種々の技術が提案されている。例えば、特許文献１では、時間の経過に応じてパソコンのディスプレイ上に目の疲労を軽減するための画面を表示することが開示されている。
【０００４】
また、特許文献２では、前後に移動可能なプラットフォーム上にディスプレイを載置して移動させることにより、焦点距離を変更して、ピントフリーズ現象の発生を防止することが記載されている。
【特許文献１】特開２００１−２２２３３８号公報
【特許文献２】特表２０００−５０１９７６号公報
【発明の開示】
【発明が解決しようとする課題】
【０００５】
しかし、特許文献１に記載されているように、目の疲労を軽減するための画面をディスプレイ上に表示する場合、使用者は作業を中断する必要がある。
【０００６】
また、特許文献２に記載されているように、プラットフォームによってモニターを前後に移動させる場合、プラットフォームを移動させるための複雑な機構が必要となる。また、プラットフォームを移動させるための広いスペースが必要となる。
【０００７】
本発明の課題は、使用者が作業を継続しながらも特に意識することなく自然に眼精疲労を軽減することができ、且つ、複雑な構成を必要としない眼精疲労軽減システムおよびプログラムを提供することにある。
【課題を解決するための手段】
【０００８】
第１発明に係る眼精疲労軽減システムは、前後方向に距離を隔てて配置される複数の画面表示部と、複数の画面表示部のうち所定の画面を表示させる画面表示部を時間の経過により自動的に切り替える制御部と、使用者からの入力を受け付ける入力装置と、を備える。そして、制御部は、入力装置からの入力に対応した操作対象画面を表示している画面表示部を検知し、同じ画面表示部に所定時間継続して操作対象画面が表示された場合に、操作対象画面を表示する画面表示部を他の画面表示部に切り替える。
【０００９】
この眼精疲労軽減システムでは、複数の画面表示部のうち、ある画面表示部に表示されていた所定の画面が、時間の経過によって他の画面表示部に表示される。複数の画面表示部は前後に距離を隔てて配置されているため、使用者が注視する画面が表示される画面表示部が変更されることにより、目の焦点距離が自然と変更される。これにより、ピントフリーズ現象の発生を抑えることができ、眼精疲労を軽減することができる。また、使用者は画面を表示する画面表示部が切り替えられても、継続して同じ内容の画面を注視することができるため、画面を見ながらの作業を中断する必要がない。さらに、画面表示部を移動させる必要が無く、画面の出力先となる画面表示部を切り替えるだけでよいため、複雑な構成も不要である。
【００１０】
また、この眼精疲労軽減システムでは、同じ画面表示部に所定時間継続して操作対象画面が表示された場合に、操作対象画面を表示させる画面表示部の切替が行われる。使用者は、操作対象画面が表示されている画面表示部を特に注視している可能性が高い。このため、操作対象画面が継続して表示されている時間に基づいて画面表示部の切替が行われることにより、適切な時間間隔で画面表示部の切替を行うことができる。
【００１１】
第２発明に係る眼精疲労軽減システムは、第１発明の眼精疲労軽減システムであって、制御部は、複数の画面表示部のそれぞれと使用者との距離に応じて、複数の画面表示部のそれぞれに表示される画面の大きさを調整する。
【００１２】
この眼精疲労軽減システムでは、画面が表示される画面表示部が切り替えられても、見かけの画面の大きさを概ね同じにすることができる。このため、画面表示部の切替の際の違和感を軽減させることができる。
【００１３】
第３発明に係る眼精疲労軽減システムは、第１発明または第２発明の眼精疲労軽減システムであって、複数の画面表示部のうち一の画面表示部は、他の画面表示部と着脱可能な携帯端末に備えられている。
【００１４】
この眼精疲労軽減システムでは、携帯端末を他の画面表示部から分離して持ち運ぶことができる。また、分離された携帯端末を他の画面表示部に接続することにより、眼精疲労軽減システムの一部として機能させることができる。
【００１５】
第４発明に係る眼精疲労軽減プログラムは、前後方向に距離を隔てて配置される複数の画面表示部のうち使用者からの入力を受け付ける入力部からの入力に対応した操作対象画面を表示している画面表示部を検知し、同じ画面表示部に所定時間継続して操作対象画面が表示された場合に、操作対象画面を表示する画面表示部を他の画面表示部に切り替える機能をコンピュータにおいて実現させるためのプログラムである。
【００１６】
この眼精疲労軽減プログラムでは、複数の画面表示部のうち、ある画面表示部に表示されていた所定の画面を、時間の経過によって他の画面表示部に表示する機能がコンピュータにおいて実現される。この場合、前後に距離を隔てて配置された複数の画面表示部に対して、使用者が注視する画面表示部が切り替えられることにより、目の焦点距離が自然と変更される。これにより、ピントフリーズ現象の発生を抑えることができ、眼精疲労を軽減することができる。また、使用者は画面を表示する画面表示部が切り替えられても、継続して同じ内容の画面を注視することができるため、画面を見ながらの作業を中断する必要がない。さらに、画面表示部を移動させる必要が無く、画面が表示される画面表示部を切り替えるだけでよいため、複雑な構成も不要である。
【００１７】
また、この眼精疲労軽減プログラムでは、同じ画面表示部に所定時間継続して操作対象画面が表示された場合に、操作対象画面を表示させる画面表示部の切替が行われる。使用者は、操作対象画面が表示されている画面表示部を特に注視している可能性が高い。このため、操作対象画面が継続して表示されている時間に基づいて画面表示部の切替が行われることにより、適切な時間間隔で画面表示部の切替を行うことができる。
【発明の効果】
【００１８】
この眼精疲労軽減システムでは、ピントフリーズ現象の発生を抑えることができ、眼精疲労を軽減することができる。また、使用者は画面を表示する画面表示部が切り替えられても、継続して同じ内容の画面を注視することができるため、画面を見ながらの作業を中断する必要がない。さらに、画面表示部を移動させる必要が無く、画面が表示される画面表示部を切り替えるだけでよいため、複雑な構成も不要である。
【発明を実施するための最良の形態】
【００１９】
〔構成〕
本発明の一実施形態に係る眼精疲労軽減システム１の構成を模式的に示す図を図１に示す。この眼精疲労軽減システム１は、第１画面表示部２と、第２画面表示部３と、入力部４と、記憶部５と、制御部６とを備える。
【００２０】
第１画面表示部２は、図２〜４に示すノートパソコン１１に備えられたディスプレイであり、制御部６からの出力に応じて様々な画面を表示することができる。なお、図２は、眼精疲労軽減システム１の正面図、図３は眼精疲労軽減システム１の側面図、図４は眼精疲労軽減システム１の上面図である。
【００２１】
第２画面表示部３は、ノートパソコン１１にケーブル１２を介して接続される外部ディスプレイであり、第１画面表示部２の後方に距離を隔てて配置されている。第２画面表示部３は、使用者に視認可能なように、第１画面表示部２よりも上方に位置するように支持部材１３によって支持されている。
【００２２】
入力部４は、例えば、キーボードやマウスなど、使用者からの入力を受け付ける装置である。入力部４からの入力内容は入力信号として制御部６に送られる。
【００２３】
記憶部５は、内部メモリーやハードディスクなどの記憶装置であり、各種の情報を記憶する。
【００２４】
制御部６は、記憶部５に記憶された情報や入力部４からの入力信号に基づいて第１画面表示部２や第２画面表示部３に各種の画面を表示させることができる。例えば、文章や図形の作成などの作業を行うための作業画面、ゲーム画面などを表示させることができる。特に、制御部６は、ピントフリーズ現象による眼精疲労の軽減のために、第１画面表示部２と第２画面表示部３のうち所定の画面を表示させる画面表示部を時間の経過により自動的に切り替える。制御部６による画面表示部の切替制御については後に詳細に説明する。
【００２５】
上記の構成のうち、第１画面表示部２、記憶部５、入力部４、制御部６は、図２〜４に示すノートパソコン１１に備えられており、第２画面表示部３に対して着脱可能となっている。このため、ノートパソコン１１を第２画面表示部３から取り外すことによって、眼精疲労軽減システム１から分離させて、自由に持ち運ぶことができる。
【００２６】
〔制御部６による画面表示部の切替制御〕
制御部６によって行われる画面表示部の切替制御には、３つの制御モードがあり、使用者は３つのモードのうち、いずれかを選択することができる。以下、制御部６が行う３つの制御モードについて図５に示すフローチャートに基づいて説明する。
【００２７】
まず、第１ステップＳ１では、前処理が行われる。ここでは、眼精疲労軽減システム１に備えられている画面表示部の数や、後述する各種のパラメータが確認される。
【００２８】
第２ステップＳ２では、選択された制御モードが確認される。制御モードには、固定モード、第１変動モード、第２変動モードの３つのモードがある。固定モードが選択されている場合には、第３ステップＳ３に進む。第１変動モードが選択されている場合には、第４ステップＳ４に進む。第２変動モードが選択されている場合には、第１２ステップＳ１２に進む。
【００２９】
固定モードが選択されている場合、第３ステップＳ３において、画面が表示される画面表示部が固定される。ここでは、使用者が設定を変更したり、画面を移動させたりしない限りは、同じ画面表示部に継続して画面が表示される。また、第１画面表示部２にのみ画面が表示されると共に、第２画面表示部３の表示機能がオフにされる（図６（ａ）参照）。なお、従来のデュアルディスプレイのシステムと同様に、第１画面表示部２と第２画面表示部３とに、それぞれ別の画面が表示され（図７（ａ）参照）、使用者が設定を変更したり画面を移動させたりしない限りは、その状態が維持されてもよい。
【００３０】
第１変動モードが選択されている場合、第４ステップＳ４〜第１１ステップＳ１１に示す処理が行われる。第１変動モードでは、第１画面表示部２および第２画面表示部３のうち一方の画面表示部に所定の画面を表示させている間は、他方の画面表示部の表示機能をオフにする。例えば、図６（ａ）に示すように、第１画面表示部２に画面Ａが表示されている場合は、第２画面表示部３の表示機能がオフにされ、第２画面表示部３には何も表示されない。そして、所定の時間が経過すると、図６（ｂ）に示すように、画面Ａが表示される画面表示部が第１画面表示部２から第２画面表示部３に切り替えられ、第２画面表示部３に画面Ａが表示される。このとき、第１画面表示部２の表示機能はオフにされ、第１画面表示部２には何も表示されない。ここでの処理について図５に基づいて説明すると、まず、第４ステップＳ４において、タイマーＴが初期化され、第５ステップＳ５においてタイマーＴのカウントアップが開始される。なお、この状態では、図６（ａ）に示すように、画面Ａが第１画面表示部２に表示されており、第２画面表示部３の表示機能はオフにされている。そして、第６ステップＳ６において、タイマーＴが所定の時間Ｔ１に達したか否かが判定される。タイマーＴが所定の時間Ｔ１に達していない場合は第５ステップＳ５に戻り、カウントアップが継続される。タイマーＴが所定の時間Ｔ１に達した場合は、第７ステップＳ７に進み、画面が表示される画面表示部の切替が行われる。ここでは、図６（ｂ）に示すように、画面Ａが第２画面表示部３に表示されると共に、第１画面表示部２の表示機能がオフにされる。その後、第８ステップＳ８においてタイマーＴが初期化され、第９ステップＳ９において、再びタイマーＴのカウントアップが開示される。そして、第１０ステップＳ１０において、タイマーＴが所定の時間Ｔ２に達したか否かが判定される。タイマーＴが所定の時間Ｔ２に達していない場合は、第９ステップＳ９に戻ってタイマーＴのカウントアップが継続される。タイマーＴが所定の時間Ｔ２に達した場合は、第１１ステップＳ１１に進み、画面が表示される画面表示部の切替が再び行われる。ここでは、図６（ａ）に示すように、画面Ａが第１画面表示部２に表示されると共に、第２画面表示部３の表示機能がオフにされる。以降、第４ステップＳ４〜第１１ステップＳ１１の処理が繰り返され、これにより、画面が表示される画面表示部の切替が繰り返される。
【００３１】
第２変動モードが選択されている場合、第１２ステップＳ１２〜第１９ステップＳ１９に示す処理が行われる。第２変動モードは、第１画面表示部２および第２画面表示部３のそれぞれに異なる画面を表示させ、時間の経過により、第１画面表示部２に表示される画面と第２画面表示部３に表示される画面とを互いに入れ替える。例えば、図７（ａ）に示すように、第１画面表示部２に画面Ａが表示されている場合は、第２画面表示部３に画面Ｂが表示される。そして、所定の時間が経過すると、図７（ｂ）に示すように、画面Ａが表示される画面表示部が第１画面表示部２から第２画面表示部３に切り替えられ、画面Ｂが表示される画面表示部が第２画面表示部３から第１画面表示部２に切り替えられる。これにより、第１画面表示部２には画面Ｂが表示され、第２画面表示部３には画面Ａが表示される。ここでの処理について図５に基づいて説明すると、第１２ステップＳ１２において、タイマーＴが初期化され、第１３ステップＳ１３においてタイマーＴのカウントアップが開始される。なお、この状態では、図７（ａ）に示すように、第１画面表示部２に画面Ａが表示されており、第２画面表示部３には画面Ｂが表示されている。そして、第１４ステップＳ１４において、タイマーＴが所定の時間Ｔ１に達したか否かが判定される。タイマーＴが所定の時間Ｔ１に達していない場合は第１３ステップＳ１３に戻り、カウントアップが継続して行われる。タイマーＴが所定の時間Ｔ１に達した場合は、第１５ステップＳ１５に進み、第１画面表示部２に表示される画面と第２画面表示部３に表示される画面とが互いに入れ替えられる。ここでは、図７（ｂ）に示すように、画面Ａが第２画面表示部３に表示されると共に、画面Ｂが第１画面表示部２に表示される。その後、第１６ステップＳ１６においてタイマーＴが初期化され、第１７ステップＳ１７において、再びタイマーＴのカウントアップが開示される。そして、第１８ステップＳ１８において、タイマーＴが所定の時間Ｔ２に達したか否かが判定される。タイマーＴが所定の時間Ｔ２に達していない場合は、第１７ステップＳ１７に戻ってタイマーＴのカウントアップが継続される。タイマーＴが所定の時間Ｔ２に達した場合は、第１９ステップＳ１９に進み、第１画面表示部２に表示される画面と第２画面表示部３に表示される画面とが再び入れ替えられる。ここでは、図７（ａ）に示すように、画面Ａが第１画面表示部２に表示されると共に、画面Ｂが第２画面表示部３に表示される。以降、第１２ステップＳ１２〜第１９ステップＳ１９の処理が繰り返され、これにより、画面が表示される画面表示部の切替が繰り返される。
【００３２】
なお、上述した同一画面の表示時間である時間Ｔ１，Ｔ２は第１ステップＳ１の前処理において確認されるパラメータである。時間Ｔ１，Ｔ２の値は、定数として使用者によって変更可能であってもよく、また、乱数として自動的に変更されてもよい。
【００３３】
〔特徴〕
この眼精疲労軽減システム１では、使用者から見て前後に異なる距離に配置された画面表示部２，３に対して、画面の出力先を定期的且つ自動的に切り替えることにより、作業者が作業を継続した状態のまま自然に焦点距離を変更させることができる。これにより、ピントフリーズ現象による眼精疲労を軽減することができる。また、この眼精疲労軽減システム１では、画面表示部２，３を物理的に移動させる必要が無く、画面の出力先を第１画面表示部２と第２画面表示部３との間で切り替えるだけでよいため、複雑な構成や画面表示部２，３を移動させるための広いスペースが不要である。
【００３４】
〔他の実施形態〕
（ａ）
上記の実施形態では、眼精疲労軽減システム１が例示されているが、上記の眼精疲労軽減システム１における制御部６の機能をコンピュータにおいて実現させるためのプログラムに本発明が適用されてもよい。
【００３５】
（ｂ）
上記の制御部６は、第１変動モード又は第２変動モードが選択された場合には、第１画面表示部２および第２画面表示部３のそれぞれと使用者との距離に応じて、第１画面表示部２および第２画面表示部３のそれぞれに表示される画面の大きさを調整する見かけ同一サイズ制御を行うことができる。
【００３６】
この制御では、制御部６は、使用者の目から第１画面表示部２までの距離Ｌ１（図４参照）, 使用者の目から第２画面表示部３までの距離Ｌ２に基づいて、各画面表示部２，３
に表示される画面の大きさを調整することにより、各画面表示部２，３に表示される画面の見かけの大きさを同じにする。例えば、図８（ａ）に示すように、画面Ａが第１画面表示部２に表示される場合には、画面Ａは大きさＤ１で表示される。そして、画面Ａが第２画面表示部３に表示される場合には、画面Ａは大きさＤ２（＞Ｄ１）で表示される。これにより、図９に示すように、画面Ａが第１画面表示部２より後方に位置する第２画面表示部３に表示される場合でも、使用者は、見かけ上は第１画面表示部２に表示される場合と概ね同じ大きさで画面Ａを見ることができる。なお、図９は、第１画面表示部２の手前にいる使用者から見た第１画面表示部２および第２画面表示部３を示している。
【００３７】
なお、上記の距離Ｌ１，Ｌ２は使用者が入力することによって設定されてもよく、距離Ｌ１，Ｌ２を測定する装置が備えられてもよい。また、第１画面表示部２と第２画面表示部３との距離を一定値に規定するために、第１画面表示部２と第２画面表示部３とを所定の距離を隔てて連結する連結部材が設けられてもよい。
【００３８】
また、第２画面表示部３が、拡大された画面Ａの全画面を表示することができない場合には、拡大された画面Ａの一部を表示してもよい。
【００３９】
さらに、この見かけ同一サイズ制御は、固定モードにおいて第１画面表示部２と第２画面表示部３との両方の表示機能がオンにされている場合に実行されてもよい。
【００４０】
（ｃ）
上記の第２変動モードにおいて、制御部６は、入力部４からの入力に対応した操作対象画面を表示している画面表示部を検知し、同じ画面表示部に所定時間継続して操作対象画面が表示された場合に、操作対象画面を表示する画面表示部を他の画面表示部に切り替える制御を行ってもよい。例えば、使用者が操作しているマウスの動きに対応するポインタが第１画面表示部２に表示された画面Ａ上で移動している場合には、制御部６は、第１画面表示部２がアクティブ状態であると認識して、図５の第４ステップＳ４以降の処理を開始する。そして、アクティブ状態の第１画面表示部２に画面Ａが表示された状態が、時間Ｔ１の間、継続された場合に、画面Ａの出力先を第１画面表示部２から第２画面表示部３へと変更する。これにより、使用者が注視している画面表示部を精度よく認識して、適切な時間間隔で画面表示部の切替を行うことができる。
【００４１】
（ｄ）
上記の実施形態では、ノートパソコン１１と、ノートパソコン１１に接続された第２画面表示部３とによって眼精疲労軽減システム１が構成されているが、ノートパソコン１１に限らず、デスクトップパソコン、ＰＤＡ、携帯電話、ゲーム機などによって本発明に係る眼精疲労軽減システム１が構成されてもよい。
【００４２】
また、上記の実施形態では、ノートパソコン１１を第２画面表示部３から取り外すことによって、眼精疲労軽減システム１から分離することができるが、第１画面表示部２と第２画面表示部３とが一体的に構成されてもよい。
【００４３】
（ｅ）
上記の実施形態では、第１画面表示部２はノートパソコン１１のディスプレイであり、第２画面表示部３はノートパソコン１１に接続可能な外部ディスプレイであるが、本発明における第１画面表示部２および第２画面表示部３はこれらのものに限られない。例えば、デスクトップパソコンのディスプレイ、プロジェクタ、テレビ、ＰＤＡや携帯電話などの小型携帯端末のディスプレイ、ゲーム機のディスプレイなどであってもよい。
【００４４】
また、画面表示部は２つに限らず、３つ以上であってもよい。
【００４５】
（ｇ）
上記の実施形態では、「画面」とは、画面表示部上のデスクトップ画面全体に限らず、デスクトップ画面上に開かれたウインドウ画面であってもよい。
【産業上の利用可能性】
【００４６】
本発明は、使用者が作業を継続しながらも特に意識することなく自然に眼精疲労を軽減することができ、且つ、複雑な構成を必要としない効果を有し、眼精疲労軽減システムおよびプログラムとして有用である。
【図面の簡単な説明】
【００４７】
【図１】眼精疲労軽減システムの構成を模式的に示す図。
【図２】眼精疲労軽減システムの正面図。
【図３】眼精疲労軽減システムの側面図。
【図４】眼精疲労軽減システムの上面図。
【図５】画面表示部の切替制御を示すフローチャート。
【図６】第１変動モードにおける画面表示部の切替を示す図。
【図７】第２変動モードにおける画面表示部の切替を示す図。
【図８】見かけ同一サイズ制御における画面表示部の切替を示す図。
【図９】使用者から見た第１画面表示部２および第２画面表示部３を示す図。
【符号の説明】
【００４８】
２      第１画面表示部
３      第２画面表示部
４      入力部
６      制御部
【要約】
【課題】使用者が作業を継続しながらも特に意識することなく自然に眼精疲労を軽減することができ、且つ、複雑な構成を必要としない眼精疲労軽減システムおよびプログラムを提供する。
【解決手段】本発明に係る眼精疲労軽減システム１は、前後方向に距離を隔てて配置される複数の画面表示部２，３と、複数の画面表示部２，３のうち所定の画面を表示させる画面表示部を時間の経過により自動的に切り替える制御部と、を備える。
【選択図】図４【図１】
0004199818.tif 000002
【図２】
0004199818.tif 000003
【図３】
0004199818.tif 000004
【図４】
0004199818.tif 000005
【図５】
0004199818.tif 000006
【図６】
0004199818.tif 000007
【図７】
0004199818.tif 000008
【図８】
0004199818.tif 000009
【図９】
0004199818.tif 000010